(57)【特許請求の範囲】
【請求項１】
ベッド部とラック部又はベンチ部とからなり、ベッド部は、後枠と、２枚の側枠部からなる右枠と、この右枠と同じ大きさの１枚の左枠と、後枠と同じ大きさで上部前枠部並びに下部前枠部からなる前枠とを、夫々着脱可能に接続して形成されたベッド枠に、１枚又は中央縦２つ割れの床マットと１枚又は中央縦２つ割れの棚板を夫々着脱可能に所定位置に取付けて構成され、ラック部又はベンチ部は、上記の左枠の端に所定間隔を以て対峙するようにして２枚の支持枠を着脱可能に接続し、この支持枠間に載置マットを着脱可能に取付けて構成されていることを特徴とするベビーベッド。
【請求項２】
請求項１記載のベビーベッドにおいて、左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、更に両側枠部間の上部と中間部に２つ割り形成の夫々の床マット又は棚板を取り付けてラックとして使用できるように組み換え可能な構成としたことを特徴とするベビーベッド。
【請求項３】
請求項１記載のベビーベッドにおいて、左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、且つ両側枠部間の中間部に２つ割り形成の一方の床マット又は棚板を取り付け、更に後枠の上半分の上面側に２つ割り形成の他方の床マット又は棚板を取りつけて背もたれとしたベンチとして使用できるように組み換え可能な構成としたことを特徴とするベビーベッド。
【請求項４】
請求項１記載のベビーベッドにおいて、載置マットと２枚の支持枠と床マットと前枠又は後枠を取り外し、この前枠又は後枠の一端には右枠を他端には左枠を夫々コ字状に接続し、且つこの右枠及び左枠の端に上記の支持枠を夫々接続し、更に支持枠間に後枠又は前枠を接続してミドルサークルとして使用できるように組み換え可能な構成としたことを特徴とするベビーベッド。
【請求項５】
請求項１記載のベビーベッドにおいて、左枠と２枚の支持枠と載置マットとからなるラック部又はベンチ部を取り外し、このラック部又はベンチ部を１８０°回転させて、一方の支持枠の一端を後枠の一端に接続し、他方の支持枠の一端を前枠の一端に接続して、ベビーベッドを大形のチャイルドベッドとして使用できるように組み換え可能な構成としたことを特徴とするベビーベッド。
【請求項６】
ベッド部とラック部又はベンチ部とからなり、ベッド部は、後枠と、２枚の側枠部からなる右枠と、この右枠と同じ大きさの１枚の左枠と、後枠と同じ大きさで上部前枠部並びに下部前枠部からなる前枠とを、夫々着脱可能に接続して形成されたベッド枠に、１枚又は中央縦２つ割れの床マットと１枚又は中央縦２つ割れの棚板を夫々着脱可能に所定位置に取付けて構成され、ラック部又はベンチ部は、上記の左枠の端に所定間隔を以て対峙するようにして２枚の支持枠を着脱可能に接続し、この支持枠間に載置マットを着脱可能に取付けて構成され、上記のベッド部とラック部又はベンチ部とによってベビーベッドを形成でき、且つこのベビーベッドから左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、更に両側枠部間の上部と中間部に２つ割り形成の夫々床マット又は棚板を取り付けてラック、又は両側枠部間の中間部に２つ割り形成の一方の床マット又は棚板を取り付けてベンチとして使用できるように組み換えでき、又は上記のベビーベッドから載置マットと２枚の支持枠と床マットと前枠又は後枠を取り外し、この前枠又は後枠の一端には右枠を他端には左枠を夫々コ字状に接続し、且つこの右枠及び左枠の端に上記の支持枠を夫々接続し、更に支持枠間に後枠又は前枠を接続してミドルサークルとして使用できるように組み換えでき、又は上記のベビーベッドから左枠と２枚の支持枠と載置マットとからなるラック部又はベンチ部を取り外し、このラック部又はベンチ部を１８０°回転させて、一方の支持枠の一端を後枠の一端に接続し、他方の支持枠の一端を前枠の一端に接続して、ベビーベッドを大形のチャイルドベッドとして使用できるように組み換え可能な構成としたことを特徴とするベビーベッド。
【発明の詳細な説明】
【０００１】
【発明の属する技術分野】
本発明は多目的に組み換え可能なベビーベッドに関するものである。
【０００２】
【従来の技術】
多くの家庭では赤ちゃんを寝かせておくのにベビーベッドが使用されている。一般に使用されているベビーベッドは、ベッド枠の中に床マットを固定として取付けた構造のものや、赤ちゃんに必要な各種の日常雑貨品を床マットの下に収納できるように、ベッド枠の前枠部に扉を開閉自在に取付けた構成のものなどである。
【０００３】
しかしながら、床マットの下に日常雑貨品を収納できるようにしたベビーベッドの場合、ベッド枠の前枠部に取付けた扉をその都度開閉して日常雑貨品を出し入れしなければならず、赤ちゃんがむずかっているときなど、その出し入れに手間取ることが多かった。また、床マットの下の奥側に収納した物を取り出す場合は、より手間取ってしまう。更に床マットの下に収納した種々の物は、出し入れしている間に床マットの下で乱雑になってしまうことがある。
【０００４】
また、赤ちゃんがある程度大きくなってベビーベッドが不要になった場合、その処分に困ってしまうのが現状である。
【０００５】
【発明が解決しようとする課題】
本発明は上記のような点に鑑みて開発されたものであり、その目的とするところは、おむつや肌着や玩具等をベビーベッドの傍に整理して揃えておくことができ、且つベビーベッドが不要になったときに、ベビーベッドを構成する各枠等とを組み換えて、ベンチやラックとして使用でき、また伝い歩きができるようになった赤ちゃんが部屋のあちこちに移動しないようにするミドルサークルとしても組み換え使用でき、またベビーベッドを大形のチャイルドベッドに組み換えて使用できるようにしたベビーベッドを提供することにある。
【０００６】
【課題を解決するための手段】
本発明は上記のような目的を有効に達成するために、次のような構成にしてある。すなわち、請求項１記載の本発明のベビーベッドは、ベッド部とラック部又はベンチ部とからなり、ベッド部は、後枠と、２枚の側枠部からなる右枠と、この右枠と同じ大きさの１枚の左枠と、後枠と同じ大きさで上部前枠部並びに下部前枠部からなる前枠とを、夫々着脱可能に接続して形成されたベッド枠に、１枚又は中央縦２つ割れの床マットと１枚又は中央縦２つ割れの棚板を夫々着脱可能に所定位置に取付けて構成され、ラック部又はベンチ部は、上記の左枠の端に所定間隔を以て対峙するようにして２枚の支持枠を着脱可能に接続し、この支持枠間に載置マットを着脱可能に取付けて構成されている。
【０００７】
請求項２記載の本発明のベビーベッドは、請求項１記載のベビーベッドにおいて、左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、更に両側枠部間の上部と中間部に２つ割り形成の夫々の床マット又は棚板を取り付けてラックとして使用できるように組み換え可能な構成としてある。
【０００８】
請求項３記載の本発明のベビーベッドは、請求項１記載のベビーベッドにおいて、左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、且つ両側枠部間の中間部に２つ割り形成の一方の床マット又は棚板を取り付け、更に後枠の上半分の上面側に２つ割り形成の他方の床マット又は棚板を取りつけて背もたれとしたベンチとして使用できるように組み換え可能な構成としてある。
【０００９】
請求項４記載の本発明のベビーベッドは、請求項１記載のベビーベッドにおいて、載置マットと２枚の支持枠と床マットと前枠又は後枠を取り外し、この前枠又は後枠の一端には右枠を他端には左枠を夫々コ字状に接続し、且つこの右枠及び左枠の端に上記の支持枠を夫々接続し、更に支持枠間に後枠又は前枠を接続してミドルサークルとして使用できるように組み換え可能な構成としてある。
【００１０】
請求項５記載の本発明のベビーベッドは、請求項１記載のベビーベッドにおいて、左枠と２枚の支持枠と載置マットとからなるラック部又はベンチ部を取り外し、このラック部又はベンチ部を１８０°回転させて、一方の支持枠の一端を後枠の一端に接続し、他方の支持枠の一端を前枠の一端に接続して、ベビーベッドを大形のチャイルドベッドとして使用できるように組み換え可能な構成としてある。
【００１１】
請求項６記載の本発明のベビーベッドは、ベッド部とラック部又はベンチ部とからなり、ベッド部は、後枠と、２枚の側枠部からなる右枠と、この右枠と同じ大きさの１枚の左枠と、後枠と同じ大きさで上部前枠部並びに下部前枠部からなる前枠とを、夫々着脱可能に接続して形成されたベッド枠に、１枚又は中央縦２つ割れの床マットと１枚又は中央縦２つ割れの棚板を夫々着脱可能に所定位置に取付けて構成され、ラック部又はベンチ部は、上記の左枠の端に所定間隔を以て対峙するようにして２枚の支持枠を着脱可能に接続し、この支持枠間に載置マットを着脱可能に取付けて構成され、上記のベッド部とラック部又はベンチ部とによってベビーベッドを形成でき、且つこのベビーベッドから左枠と２枚の支持枠と載置マットからなるラック部又はベンチ部を取り外して独立したラック又はベンチとし、且つベッド部を構成する後枠の両端に右枠の各側枠部を接続してコ状に形成し、この両側枠部の前端の下半分位置に下部前枠部を取付け、更に両側枠部間の上部と中間部に２つ割り形成の夫々床マット又は棚板を取り付けてラック、又は両側枠部間の中間部に２つ割り形成の一方の床マット又は棚板を取り付けてベンチとして使用できるように組み換えでき、又は上記のベビーベッドから載置マットと２枚の支持枠と床マットと前枠又は後枠を取り外し、この前枠又は後枠の一端には右枠を他端には左枠を夫々コ字状に接続し、且つこの右枠及び左枠の端に上記の支持枠を夫々接続し、更に支持枠間に後枠又は前枠を接続してミドルサークルとして使用できるように組み換えでき、又は上記のベビーベッドから左枠と２枚の支持枠と載置マットとからなるラック部又はベンチ部を取り外し、このラック部又はベンチ部を１８０°回転させて、一方の支持枠の一端を後枠の一端に接続し、他方の支持枠の一端を前枠の一端に接続して、ベビーベッドを大形のチャイルドベッドとして使用できるように組み換え可能な構成としてある。
【００１２】
【発明の実施の形態】
以下、本発明の実施の形態について添付の図に基づいて説明する。
図１に示すように、１は本発明に係る１例のベビーベッドであって、このベビーベッド１は、ベッド部２と、ラック部３とを着脱可能に一体的に構成したものである。
【００１３】
ベッド部２は、後枠４と、右枠５と、左枠６と、上部前枠部７ａ及び下部前枠部７ｂからなる前枠７とを矩形状に接続して形成したベッド枠９と、このベッド枠９内の略中間位の位置に着脱可能に取付けた床マット８と、ベッド枠９内の下部に着脱可能に取り付けた棚板１０、及び各種接続部品によって構成されている。
【００１４】
後枠４は、上下の枠桟４ａの間に所定間隔毎に縦桟４ｂを取り付けた矩形状のものである。また、右枠５は同じ大きさ、形状の２枚の側枠部５ａ，５ｂからなる。左枠６は右枠５と同じ大きさであって、矩形状の枠部６ａの内側に所定間隔を以て縦桟６ｂを取り付けたものである。
【００１５】
前枠７を構成する上部前枠部７ａは、蝶番（図示せず）を介して下部前枠部７ｂに、手前に開放可能なように枢着してある。この上部前枠部７ａを閉じる場合は、上部前枠部７ａの両側上部に取付けた係止ねじ１１を右枠５及び左枠６にねじ込んで係止する。この両係止ねじ１１を弛めることによって簡単に手前に開放することができる。勿論、上部前枠部７ａと下部前枠部７ｂとを蝶番で接続せずに、夫々独立して着脱できるように構成してもよい。
【００１６】
下部前枠部７ｂは、右枠５及び左枠６の前側に接続され、この下部前枠部７ｂの両側近傍には支持部材１２が夫々取付けられ、支持部材１２間には扉１３が着脱可能に取付けられている。
【００１７】
また、床マット８は、ベッド枠９内に取付けできる大きさの矩形状のものであって、中央を縦（長手方向）に２つ割れに形成した２枚のマット部材８ａ，８ｂからなり、通常はベッド枠９内の略中間位の位置に、係止ねじ（図示せず）とナットにより、ナットの上に各マット部材８ａ，８ｂを載置して着脱可能に取付けられている。尚、後述する棚板が２枚の棚板部材から構成される場合、この床マット８は１枚ものであってもよい。
【００１８】
棚板１０は、おむつや赤ちゃんの日常雑貨品を床マット８の下方に収納しておくために取付けられたものであり、ベッド枠９内に取付けできる大きさの矩形状のものであって、中央を縦（長手方向）に２つ割れに形成した２枚の棚板部材１０ａ，１０ｂからなる。通常はベッド枠９内の下端寄りの位置に、係止ねじとナットにより、ナットの上に各棚板部材１０ａ，１０ｂを載置して着脱可能に取付けられている。尚、床マット８が２枚のマット部材８ａ，８ｂから構成される場合、この棚板１０は１枚ものであってもよい。
【００１９】
次にラック部３は、上記した左枠６と２枚の支持枠１７，１８と２枚の載置マット１９，２０とによって構成されている。
【００２０】
すなわち、一方の支持枠１７は前枠７の延長位置に配し、他方の支持枠１８は後枠４の延長位置に配し、夫々着脱可能に係止ねじ等で左枠６に接続してある。更に所定間隔を以て対峙する両支持枠１７，１８の上部と中間部には、夫々載置マット１９，２０が係止ねじ２１，２２（片側図示せず）によって着脱可能に取付けてある。
【００２１】
ベッド枠９の４隅と各支持枠１７，１８の下端には、夫々キャスター２３が取付けてある。
【００２２】
本発明に係るベビーベッド１は上記のように構成され、ベッド部２の床マット８に赤ちゃんを寝かせ、ラック部３の各載置マット１９，２０に玩具や育児本やおむつ等の日常雑貨品を載置することができる。このようにラック部３がベッド部２の傍に一体的に形成されているので、おむつ等の赤ちゃんにとって必要なものを必要な時に直ぐに取り出すことができる。更に扉１３を取り外すことによって、おむつ等を棚板１０上に収納しておくことができる。
【００２３】
尚、ラック部３の上部の載置マット１９を取り除くことによってベンチ（図示せず）として使用することができる。勿論、最初からこの載置マット１９を取りつけていないベビーベッドであってもよい。
【００２４】
上記のベビーベッド１が不要になった場合は、ベビーベッド１を分解して組み換えることにより、図２，図３に示す大小の２つのラック、又は図３に示す小ラックと図４に示すベンチとにすることができる。
【００２５】
すなわち、図１に示す左枠６と２枚の支持枠１７，１８と載置マット１９，２０からなるラック部３（又は載置マット１９のないベンチ部）を、上記したベビーベッド１から取り外して、図３に示すようにな独立したラックＬ（又は載置マット１９を取り外してベンチ）とすることができる。この場合、キャスター２３を取り除くとよい。更に図１に示すベッド部２を分解して、図２に示すように後枠４の両端に右枠５の各側枠部５ａ，５ｂを接続してコ状に形成し、この両側枠部５ａ，５ｂの前端の下半分位置に下部前枠部７ｂを取付け、更に両側枠部５ａ，５ｂ間の上部と中間部に、夫々マット部材８ａ，８ｂ又は棚板部材１０ａ，１０ｂを取り付けて大形のラックＫにすることができる。また、上部のマット部材８ａ又は棚板部材１０ａを取り外すことによってベンチＢにすることができる。
【００２６】
また、図４に示すようなベンチＢとするときは、図２のラックＫから上側のマット部材８ａ（又は棚板部材１０ａ）を取り除き、後枠４の上半分の上面側にマット部材８ｂ又は棚板部材１０ｂの何方か一枚を取りつけることにより、快適な背もたれのあるベンチＢとして使用することができる。
【００２７】
図１に示すベビーベッド１は、図５に示すようなミドルサークル２６に組み換えて使用することができる。
【００２８】
すなわち、図１に示すベビーベッド１を図５に示すミドルサークル２６に組み換える場合は、ベビーベッド１からラック部３の両支持枠１７，１８と、両載置マット１９，２０を取り外し、且つ前枠７及び床マット８を取り外し、更に各キャスター２３を取り外す。次に取り外した各支持枠１７，１８を、右枠５及び左枠６の一側部に延長するようにして係止ねじ等で接続する。そしてこの両支持枠１７，１８の端に、取り外した前枠７を図示のように接続し、左枠６及び右枠５の端に後枠４を接続することにより、後枠４、右枠５、左枠６、両支持枠１７，１８及び前枠７で囲繞されたミドルサークル２６を形成することができる。
【００２９】
このミドルサークル２６の中に幼児を入れておくことにより、幼児はこのミドルサークル２６内から外に移動することができず、親は安心して家事等を行うことができる。
【００３０】
また、上記したベビーベッド１は、大形のベビーベッドであるチャイルドベッド（図示せず）に組み換えて使用することができる。すなわち、左枠６と２枚の支持枠１７，１８と２枚の載置マット１９，２０及びキャスター２３とからなるラック部３を、左枠６を除いたベッド部２から取り外す。そして載置マット１９を取り除いたラック部３を１８０°回転させ、支持枠１７，１８の端を、前枠７及び後枠４の一端に接続する。このようにすることにより、ベッド枠は大形となり、且つ床マット８は載置マット２０と同一高さで突き合わされた状態となり、ベビーベッド１を大形のベビーベッドであるチャイルドベッド（図示せず）に組み換えて使用することができる。このチャイルドベッド（図示せず）では３〜４才の幼児が使用するベッドとして、元のベビーベッド１を長期間使用することができる。
【００３１】
図６は本発明の他の例のベビーベッド１である。このベビーベッド１は下部前枠部７ｂに、手前に開放できる扉２７を設けたものである。他の構成は先に説明した図１に示すベビーベッド１と殆ど同じ構成であるので、同一符号を付して説明を省略する。また、このベビーベッド１を分解して再度組み換え、図７に示すような大型のラックＫや、ベビーベッド１（図６参照）のラック部３を独立したラックとしたり、ベッド部２から図９に示すようなベンチＢとしたり、ベビーベッド１（図６参照）を分解組み立てして図１０に示すようなミドルサークル２６とすることができる。組み立て手順等は、先に説明した図１に示すベビーベッド１を分解してラックＫやベンチＢやミドルサークル２６等に組み換えた場合と同様であり、図２〜図５に付した符号と同一の符号を付して説明を省略する。
【００３２】
【発明の効果】
以上、上記の説明でも明らかなように請求項１記載の本発明のベビーベッドでは、ベビーベッドとしての機能と共にラック又はベンチとしての機能も併せ持っているので、ベビーベッドがベッド部とラック部との場合は、赤ちゃんに必要な日常雑貨品をラック部に整理しておくことにより、必要に応じてラックから素早く取り出して使用でき非常に便利である。また、ベビーベッドがベッド部とベンチ部との場合は、赤ちゃんの寝ている傍で母親はベンチ部の載置マットに腰を掛けて読書等をして過ごすことができる。また、洋間等にベビーベッドを置いている場合、床に直接座ることを避けることができ、母親の身体にも良い。
【００３３】
請求項２記載の本発明のベビーベッドでは、ベビーベッドをラック及び／又はベンチに組み換えて使用することにより、ラックとした場合は本や玩具、その他の日常雑貨品をラックに整理でき、部屋を整理整頓することができる。またベンチとして使用する場合は腰をかけてのんびりと読書等を楽しむことができる。
【００３４】
また、請求項３記載の本発明のベビーベッドでは、独立したラック又はベンチとして不要になったベビーベッドを有効に再利用することができる。
【００３５】
また、請求項４記載の本発明のベビーベッドでは、不要になったベビーベッドをミドルサークルに組み換えて使用できるので、幼児をこのミドルサークル内に入れておくことにより、幼児はこのミドルサークルから外に出ることができず、親は安心して家事等を行うことができる。
【００３６】
また、請求項５記載の本発明のベビーベッドでは、ベビーベッドを大形のチャイルドベッドに組み換えて使用できるので、赤ちゃんから４〜５才の幼児になるまでベビーベッドを有効に利用することができる。
【００３７】
また、請求項６記載の本発明のベビーベッドでは、ラック及び／又はベンチ、、又はミドルサークル、又はチャイルドベッドに組み換えて使用できるので、ベビーベッドを長期間にわたってその時々の用途に応じて有効に使用することができ、便利で経済的である。
【図面の簡単な説明】
【図１】本発明に係るベビーベッドの斜視図である。
【図２】図１のベビーベッドのベッド部をラックに組み換えた状態を示す斜視図である。
【図３】図１のベビーベッドのラック部を独立したラックとした斜視図である。
【図４】図１のベビーベッドのベッド部を独立したベンチに組み換えた状態を示す斜視図である。
【図５】図１のベビーベッドをミドルサークルに組み換えた状態の斜視図である。
【図６】本発明に係る他のベビーベッドの斜視図である。
【図７】図６のベビーベッドのベッド部を独立したラックに組み換えた状態を示す斜視図である。
【図８】図６のベビーベッドのラック部を独立したラックとした斜視図である。
【図９】図６のベビーベッドのベッド部を独立したベンチに組み換えた状態を示す斜視図である。
【図１０】図６に示すベビーベッドをミドルサークルに組み換えた状態の斜視図である。
【符号の説明】
１  ベビーベッド
２  ベッド部
３  ラック部（ベンチ部）
４  後枠
５  右枠
６  左枠
７  前枠
８  床マット
９  ベッド枠
１７  支持枠
１８  支持枠
１９  載置マット
２０  載置マット
２６  ミドルサークル
【図１】
0003978260.tif 000002
【図２】
0003978260.tif 000003
【図３】
0003978260.tif 000004
【図４】
0003978260.tif 000005
【図５】
0003978260.tif 000006
【図６】
0003978260.tif 000007
【図７】
0003978260.tif 000008
【図８】
0003978260.tif 000009
【図９】
0003978260.tif 000010
【図１０】
0003978260.tif 000011